(57)【特許請求の範囲】
【請求項１】
構造物の開口部に設けられる枠体と、
該枠体の内部に見付け方向にスライド可能に設けられ、上下方向に延びる縦框と、該縦框に接合され前記見付け方向に延びる横框と、を有する障子と、を備えた引戸であって、
前記縦框は、
金属により形成された金属縦框部と、
該金属縦框部の見込み方向の室内側に設けられ樹脂により形成された樹脂縦框部と、を有し、
前記横框は、
金属により形成された金属横框部と、
該金属横框部の前記室内側に設けられ樹脂により形成された樹脂横框部と、を有し、
前記金属横框部の前記室内側に沿って配置された補強面を有し、前記金属縦框部に固定されるとともに、金属により形成された補強金具を、備え、
前記樹脂横框部は、
前記金属横框部の前記室内側に配置された室外側樹脂部と、
該室外側樹脂部と前記見込み方向に離間して前記室内側に配置される室内側樹脂部と、を有し、
前記補強面は、前記室外側樹脂部と前記室内側樹脂部との間に形成された空間部に配置されていることを特徴とする引戸。
【発明の詳細な説明】
【技術分野】
【０００１】
本発明は、構造物の開口部に設けられる引戸に関するものである。
【背景技術】
【０００２】
従来から、アルミ部材及び樹脂部材からなる障子２枚で構成された引違サッシにおいて、障子の上框、下框及び縦框それぞれの端部に火災時に熱により発泡する加熱発泡材が設けられたものが開示されている（下記特許文献１参照）。特許文献１の引違サッシでは、加熱発泡材が、火災時に障子と枠体との間の隙間を塞ぐように構成されている。
【０００３】
また、上框、下框及び縦框（戸先框、召合せ框）が、それぞれアルミ部材と、アルミ部材の室内側に設けられた樹脂部材とで構成されている片引戸サッシが一般的に知られている。縦框を構成するアルミ部材の見込み方向の室外側には、対向する縦框側に向かって延びる延出壁部が設けられている。この延出壁部と縦框の樹脂部材との間に、上框（又は下框）が嵌合されているものがある。
【先行技術文献】
【特許文献】
【０００４】
【特許文献１】特開２０１２−２２５１４９号公報
【発明の概要】
【発明が解決しようとする課題】
【０００５】
上記に記載の片引戸サッシでは、火災時の燃焼により、縦框の樹脂部材が溶融し、脱落してしまった場合には、縦框のアルミ部材の延出壁部だけで上框（又は下框）を支持することになる。よって、縦框と上框（又は下框）との接合部分に作用する負荷が大きくなり、障子の十分な剛性を確保することができないという問題点がある。
【０００６】
そこで、本発明は、上記事情に鑑みてなされたものであり、框同士を強固に接合して防火性能を確保することができる引戸を提供する。
【課題を解決するための手段】
【０００７】
上記目的を達成するために、本発明は以下の手段を採用している。
すなわち、本発明に係る引戸は、構造物の開口部に設けられる枠体と、該枠体の内部に見付け方向にスライド可能に設けられ、上下方向に延びる縦框と、該縦框に接合され前記見付け方向に延びる横框と、を有する障子と、を備えた引戸であって、前記縦框は、金属により形成された金属縦框部と、該金属縦框部の見込み方向の室内側に設けられ樹脂により形成された樹脂縦框部と、を有し、前記横框は、金属により形成された金属横框部と、該金属横框部の前記室内側に設けられ樹脂により形成された樹脂横框部と、を有し、前記金属横框部の前記室内側に沿って配置された補強面を有し、前記金属縦框部に固定されるとともに、金属により形成された補強金具を、備え、前記樹脂横框部は、前記金属横框部の前記室内側に配置された室外側樹脂部と、該室外側樹脂部と前記見込み方向に離間して前記室内側に配置される室内側樹脂部と、を有し、前記補強面は、前記室外側樹脂部と前記室内側樹脂部との間に形成された空間部に配置されていることを特徴とする。
【０００８】
このように構成された引戸では、火災により縦框の樹脂縦框部が溶融した場合には、縦框の金属縦框部及び金属縦框部に固定され、金属横框部の室内側に沿って配置される補強面を有する補強金具により、横框の荷重を支持することができる。よって、縦框と横框との接合される接合部分に設けられた補強金具により、框同士を強固に接合することができる。したがって、引戸の剛性を確保することができるため、引戸の変形を抑制して、防火性能を確保することができる。また、接合部分における隙間の発生を抑制して、防火性能を確保することができる。
また、補強金具の補強面は、樹脂横框部の室外側樹脂部と室内側樹脂部との間に形成された空間部に配置されているため、補強面の露出を抑えつつ、框同士を強固に接合して防火性能を確保することができる。
【発明の効果】
【００１３】
本発明に係る引戸によれば、框同士を強固に接合して防火性能を確保することができる。
【図面の簡単な説明】
【００１４】
【図１】本発明の一実施形態に係る引戸を室外側から見た室外側正面図である。
【図２】図１に示す引戸を室内側から見た室内側正面図である。
【図３】図１の矢視Ａ−Ａ断面図である。
【図４】図２の矢視Ｂ−Ｂ断面図である。
【図５】図３の矢視Ｃ−Ｃ断面図である。
【図６】図３の矢視Ｄ−Ｄ断面図である。
【図７】本発明の一実施形態に係る引戸の障子の戸先側の分解斜視図である。
【図８】本発明の一実施形態に係る引戸の障子の召合せ側の分解斜視図である。
【発明を実施するための形態】
【００１５】
以下、本発明の引戸の一実施形態として、片引戸を例に挙げて説明する。
図１は、本発明の一実施形態に係る引戸を室外側から見た室外側正面図である。図２は、図１に示す引戸を室内側から見た室内側正面図である。図３は、図１の矢視Ａ−Ａ断面図である。図４は、図２の矢視Ｂ−Ｂ断面図である。
図１から図４に示すように、片引戸（引戸）１０は、構造物Ｂの開口部Ｗに固定された枠（枠体）１と、枠１の内部に見付け方向にスライド可能に設置された障子２と、を備えている。本実施形態の片引戸１０は、勝手口等に設置されるものである。
【００１６】
枠１は、見付け方向に延在する上枠１１及び下枠１２と、上枠１１の戸先側と下枠１２の戸先側とを上下方向に連結する縦枠１３と、上枠１１の見付け方向中間部と下枠１２の見付け方向中間部とを上下方向に連結する方立１４と、を有している。
【００１７】
障子２は、見付け方向に延在する上框（横框）３及び下框（横框）４と、上下方向に延在する戸先縦框（縦框）５及び召合せ框（縦框）６と、上框３、下框４、戸先縦框５及び召合せ框６の内側に配置されるガラス８と、を有している。
【００１８】
障子２において、上框３の戸先側の端部と戸先縦框５の上端部とは、図示しないネジ等により接合されている。また、戸先縦框５の下端部と下框４の戸先側の端部とは、図示しないネジ等により接合されている。また、下框４の召合せ側の端部と召合せ框６の下端部とは、図示しないネジ等により接合されている。また、召合せ框６の上端部と上框３の召合せ側の端部とは、図示しないネジ等により接合されている。
【００１９】
図５は、図３の矢視Ｃ−Ｃ断面図である。図６は、図３の矢視Ｄ−Ｄ断面図である。図７は、片引戸１０の障子２の戸先側の分解斜視図である。図８は、片引戸１０の障子２の召合せ側の分解斜視図である。なお、図７、図８において、後述する樹脂形材を用いて形成された部材（樹脂上部材３Ｂ、樹脂下部材４Ｂ、樹脂戸先部材５Ｂ、樹脂召合せ部材６Ｂ）の図示を省略している。
【００２０】
図３、図５、図７及び図８に示すように、上框３は、アルミ形材を用いて中空構造で形成されたアルミ上部材（金属横框部）３Ａと、アルミ上部材３Ａの室内側に設けられ樹脂形材を用いて形成された樹脂上部材（樹脂横框部）３Ｂと、を有している。
【００２１】
アルミ上部材３Ａは、室外側に配置される室外側アルミ壁部３１と、室外側アルミ壁部３１の見込み方向の室内側に配置される室内側アルミ壁部３２と、を有している。室外側アルミ壁部３１と室内側アルミ壁部３２とは、複数の連結アルミ壁部３３…により連結されている。
【００２２】
樹脂上部材３Ｂは、室内側アルミ壁部３２に沿って配置される室外側樹脂壁部（室外側樹脂部）３６と、室外側樹脂壁部３６の見込み方向の室内側に配置される室内側樹脂壁部（室内側樹脂部）３７と、を有している。
【００２３】
室外側樹脂壁部３６の上端部と室内側樹脂壁部３７の上端部とは、上連結樹脂壁部３８により連結されている。室外側樹脂壁部３６の下端部と室内側樹脂壁部３７の上下方向中間部とは、仕切り樹脂壁部３９により連結されている。また、室内側樹脂壁部３７の下端部には、室外側に向かって延びる延出樹脂壁部４０が設けられている。延出樹脂壁部４０の端部は、室内側アルミ壁部３２に係合されている。これにより、室外側樹脂壁部３６、上連結樹脂壁部３８、室内側樹脂壁部３７の上部及び仕切り樹脂壁部３９により、見付け方向に延びる空間部Ｓ１が形成されている。また、室内側アルミ壁部３２の下部、仕切り樹脂壁部３９、室内側樹脂壁部３７の下部及び延出樹脂壁部４０により、見付け方向に延びる空間部Ｓ２が形成されている。
【００２４】
図３、図６、図７及び図８に示すように、下框４は、アルミ形材を用いて中空構造で形成されたアルミ下部材（金属横框部）４Ａと、アルミ下部材４Ａの室内側に設けられ樹脂形材を用いて形成された樹脂下部材（樹脂横框部）４Ｂと、を有している。
【００２５】
アルミ下部材４Ａは、室外側に配置される室外側アルミ壁部４１と、室外側アルミ壁部４１の見込み方向の室内側に配置される室内側アルミ壁部４２と、を有している。室外側アルミ壁部４１と室内側アルミ壁部４２とは、複数の連結アルミ壁部４３…により連結されている。
【００２６】
室外側アルミ壁部４１の下部、室内側アルミ壁部４２の下部により形成された空間部には、下方から下枠１２の障子用レール１２Ａが配置されている。
【００２７】
複数の連結アルミ壁部４３…のうち室外側アルミ壁部４１の下部と室内側アルミ壁部４２の下部とを連結する連結アルミ壁部４３において、見付け方向両端部には、上下方向に貫通する戸車挿通孔部４３Ｋが形成されている。戸車挿通孔部４３Ｋには、戸車部９が配置されている。この戸車部９により、障子２は下枠１２（障子用レール１２Ａ）に沿って移動可能とされている。
【００２８】
樹脂下部材４Ｂは、室内側アルミ壁部４２に沿って配置される室外側樹脂壁部（室外側樹脂部）４６と、室外側樹脂壁部４６の見込み方向の室内側に配置される室内側樹脂壁部（室内側樹脂部）４７と、を有している。
【００２９】
室内側樹脂壁部４７の上部には、室外側に向かって延びる延出樹脂壁部４８が設けられている。延出樹脂壁部４８の端部は、室内側アルミ壁部４２に係合されている。また、室外側樹脂壁部４６の上端部と室内側樹脂壁部４７の上下方向中間部とは、仕切壁部４９により連結されている。また、室外側樹脂壁部４６の下部と室内側樹脂壁部４７の下部とは、連結樹脂壁部５０により連結されている。これにより、室内側アルミ壁部４２、延出樹脂壁部４８、室内側樹脂壁部４７の上部及び仕切壁部４９により、見付け方向に延びる空間部Ｓ３が形成されている。また、室外側樹脂壁部４６、仕切壁部４９、室内側樹脂壁部４７の下部及び連結樹脂壁部５０により、見付け方向に延びる空間部Ｓ４が形成されている。
【００３０】
図５、図６及び図７に示すように、戸先縦框５は、アルミ形材を用いて中空構造で形成されたアルミ戸先部材（金属縦框部）５Ａと、アルミ戸先部材５Ａの室内側に設けられ樹脂形材を用いて形成された樹脂戸先部材（樹脂縦框部）５Ｂと、を有している。
【００３１】
アルミ戸先部材５Ａは、室外側に配置される室外側アルミ壁部５１と、室外側アルミ壁部５１の見込み方向の室内側に配置される室内側アルミ壁部５２と、を有している。さらに、アルミ戸先部材５Ａは、室外側アルミ壁部５１の召合せ側と室内側アルミ壁部５２の召合せ側の端部とを連結する第一連結アルミ壁部５３と、室外側アルミ壁部５１の戸先側と室内側アルミ壁部５２の戸先側とを連結する第二連結アルミ壁部５４と、を有している。
【００３２】
室外側アルミ壁部５１の先端壁部５１Ｐは、第一連結アルミ壁部５３よりも召合せ側に突出している。先端壁部５１Ｐの上部において、室内側を向く面に沿って、アルミ上部材３Ａの室外側アルミ壁部３１の戸先側の端部が当接配置されている。先端壁部５１Ｐの下部において、室内側を向く面に沿って、アルミ下部材４Ａの室外側アルミ壁部４１の戸先側の端部が当接配置されている。
【００３３】
樹脂戸先部材５Ｂは、室内側アルミ壁部５２に沿って配置される樹脂壁部５６と、樹脂壁部５６の戸先側に設けられた係合部５７と、を有している。係合部５７は、アルミ戸先部材５Ａの室内側アルミ壁部５２の戸先側の端部５２Ｐに係合されている。
【００３４】
さらに、樹脂戸先部材５Ｂは、樹脂壁部５６の召合せ側に設けられ平面視矩形状に形成された角管部５８と、角管部５８の室外側の端部から室外側に向かって延びる取付壁部５９と、を有している。取付壁部５９には、見付け方向に貫通する取付孔５９Ｘが形成されている。
【００３５】
図５、図６及び図８に示すように、召合せ框６は、アルミ形材を用いて中空構造で形成されたアルミ召合せ部材（金属縦框部）６Ａと、アルミ召合せ部材６Ａの室内側に設けられ樹脂形材を用いて形成された樹脂召合せ部材（樹脂縦框部）６Ｂと、を有している。
【００３６】
アルミ召合せ部材６Ａは、室外側に配置される室外側アルミ壁部６１と、室外側アルミ壁部６１の見込み方向の室内側に配置される中間側壁部６２と、中間側壁部６２の見込み方向の室内側に配置される室内側アルミ壁部６３と、を有している。さらに、アルミ召合せ部材６Ａは、室外側アルミ壁部６１の戸先側と中間側壁部６２の戸先側とを連結する第一連結アルミ壁部６４と、中間側壁部６２の戸先側と室内側アルミ壁部６３の戸先側とを連結する第二連結アルミ壁部６５と、室外側アルミ壁部６１の召合せ側の端部と室内側アルミ壁部６３の召合せ側の端部とを連結する第三連結アルミ壁部６６と、を有している。第三連結アルミ壁部６６には、中間側壁部６２の召合せ側の端部が連結されている。
【００３７】
室外側アルミ壁部６１の先端壁部６１Ｐは、第一連結アルミ壁部６４よりも戸先側に突出している。先端壁部６１Ｐの上部において、室内側を向く面に沿って、アルミ上部材３Ａの室外側アルミ壁部３１の召合せ側の端部が当接配置されている。先端壁部６１Ｐの下部において、室内側を向く面に沿って、アルミ下部材４Ａの室外側アルミ壁部４１の召合せ側の端部が当接配置されている。
【００３８】
中間側壁部６２の先端壁部６２Ｐは、第一連結アルミ壁部６４及び第二連結アルミ壁部６５よりも戸先側に突出している。先端壁部６２Ｐの先端部には、室外側に向かって折曲された折曲壁部６２Ｒが設けられている。
【００３９】
折曲壁部６２Ｒの上部において、戸先側を向く面には、樹脂上部材３Ｂの室内側樹脂壁部３７の召合せ側の端部が当接している。折曲壁部６２Ｒの下部において、戸先側を向く面には、樹脂下部材４Ｂの室内側樹脂壁部４７の召合せ側の端部が当接している。
【００４０】
室内側アルミ壁部６３の先端壁部６３Ｐは、第二連結アルミ壁部６５よりも戸先側に突出している。
【００４１】
樹脂召合せ部材６Ｂは、中間側壁部６２の先端壁部６２Ｐの端部と室内側アルミ壁部６３の先端壁部６３Ｐの端部とを塞ぐ本体壁部６８と、本体壁部６８の見込み方向両端部から召合せ側に向かってそれぞれ延びる係合爪部６９と、を有している。係合爪部６９，６９は、中間側壁部６２の先端壁部６２Ｐ及び室内側アルミ壁部６３の先端壁部６３Ｐにそれぞれ設けられた係止突起６２Ｑ，６３Ｑに係止されている。
【００４２】
図５から図８に示すように、上記の障子２において、戸先縦框５と上框３との間には、第一金具（補強金具）１０１が設けられている。また、戸先縦框５と下框４との間には第二金具（補強金具）１０２が設けられている。また、召合せ框６と上框３との間には、第三金具（補強金具）１０３が設けられている。また、召合せ框６と下框４との間には第四金具（補強金具）１０４が設けられている。第一〜第四金具１０１〜１０４は、耐火性の高い金属で形成されていることが好ましく、本実施形態では鉄により形成されている。
【００４３】
図５及び図７に示すように、第一金具１０１は、アルミ戸先部材５Ａの第一連結アルミ壁部５３に固定される固定壁部１１１と、固定壁部１１１から室内側に向かって延びる延出腕部１１２と、を有している。固定壁部１１１には、上下方向に離間して２個の取付孔１１１Ｘが形成されている。ネジ１１１Ｚが、取付孔１１１Ｘ及び樹脂戸先部材５Ｂの取付孔５９Ｘに挿通され、アルミ戸先部材５Ａに形成された取付孔５３Ｘに螺合されている。これにより、第一金具１０１は、樹脂戸先部材５Ｂとともにアルミ戸先部材５Ａに固定されている。
【００４４】
さらに、第一金具１０１は、延出腕部１１２の室内側に設けられた見込み面補強壁部１１３を有している。見込み面補強壁部１１３は、延出腕部１１２から室内側且つ上方に延びるように形成されている。見込み面補強壁部１１３は、アルミ戸先部材５Ａの第一連結アルミ壁部５３に沿って配置されている。
【００４５】
さらに、第一金具１０１は、見込み面補強壁部１１３の室外側の端部から召合せ側に向かって折曲された２個の見付け面補強壁部（補強面）１１４，１１５を有している。２個の見付け面補強壁部１１４，１１５は、上下方向に離間して設けられている。
【００４６】
見付け面補強壁部１１４は、上框３の空間部Ｓ１（図３参照。以下同じ。）に挿入配置されている。見付け面補強壁部１１５は、上框３の空間部Ｓ２（図３参照。以下同じ。）に挿入配置されている。見付け面補強壁部１１４の見込み方向の室外側を向く面には、第一加熱発泡材Ｈ１が設けられている。見付け面補強壁部１１５の見込み方向の室外側を向く面には、第二加熱発泡材Ｈ２が設けられている。
【００４７】
第一加熱発泡材Ｈ１、第二加熱発泡材Ｈ２及び下記に記載の各加熱発泡材は、火災の熱によって発泡して膨張する公知のもので、シート状に形成されて、火災の熱によって面外方向に発泡するように構成されている。そして、第一加熱発泡材Ｈ１は発泡すると空間部Ｓ１を塞ぎ、第二加熱発泡材Ｈ２は発泡すると空間部Ｓ２を塞ぐ。
【００４８】
図６及び図７に示すように、第二金具１０２は、アルミ戸先部材５Ａの第一連結アルミ壁部５３に固定される固定壁部１２１を有している。固定壁部１２１には、上下方向に離間して２個の取付孔１２１Ｘが形成されている。ネジ１２１Ｚが、取付孔１２１Ｘに挿通され、アルミ戸先部材５Ａに形成された取付孔５３Ｙに螺合されている。これにより、第二金具１０２は、アルミ戸先部材５Ａに固定されている。
【００４９】
さらに、第二金具１０２は、固定壁部１２１の室外側の端部から召合せ側に向かって折曲された２個の見付け面補強壁部（補強面）１２４，１２５、を有している。２個の見付け面補強壁部１２４，１２５は、上下方向に離間して設けられている。
【００５０】
見付け面補強壁部１２４は、下框４の空間部Ｓ３（図３参照。以下同じ。）に挿入配置されている。見付け面補強壁部１２５は、下框４の空間部Ｓ４（図３参照。以下同じ。）に挿入配置されている。見付け面補強壁部１２４の見込み方向の室外側を向く面には第三加熱発泡材Ｈ３が設けられている。見付け面補強壁部１２５の見込み方向の室外側を向く面には、第四加熱発泡材Ｈ４が設けられている。そして、第三加熱発泡材Ｈ３は発泡すると空間部Ｓ３を塞ぎ、第四加熱発泡材Ｈ４は発泡すると空間部Ｓ４を塞ぐ。
【００５１】
図５及び図８に示すように、第三金具１０３は、アルミ召合せ部材６Ａの先端壁部６２Ｐの室外側を向く面に固定される固定壁部（補強面）１３１と、固定壁部１３１の見付け方向両端部から室外側に向かって折曲された折曲壁部１３２と、を有している。固定壁部１３１には、上下方向に離間して２個の取付孔１３１Ｘが形成されている。
【００５２】
固定壁部１３１の見込み方向の室外側を向く面には３枚の第五加熱発泡材Ｈ５…が見込み方向に積層配置されている。ネジ１３１Ｚが、アルミ召合せ部材６Ａの先端壁部６２Ｐに形成された取付孔６２Ｘに挿通され、固定壁部１３１の取付孔１３１Ｘに螺合されている。これにより、第三金具１０３は、アルミ召合せ部材６Ａに固定されている。
【００５３】
第五加熱発泡材Ｈ５は発泡すると、先端壁部６２Ｐ、アルミ召合せ部材６Ａの第一連結アルミ壁部６４並びにアルミ上部材３Ａの室内側アルミ壁部３２により形成された空間部、及び当該空間部と連続する空間部Ｓ１、空間部Ｓ２を塞ぐ。
【００５４】
図６及び図８に示すように、第四金具１０４は、アルミ召合せ部材６Ａの先端壁部６２Ｐの室外側を向く面に固定される固定壁部（補強面）１４１と、固定壁部１４１の見付け方向両端部から室外側に向かって折曲された折曲壁部１４２と、を有している。固定壁部１４１には、上下方向に離間して２個の取付孔１４１Ｘが形成されている。
【００５５】
固定壁部１４１の見込み方向の室外側を向く面には３枚の第六加熱発泡材Ｈ６…が見込み方向に積層配置されている。ネジ１４１Ｚが、アルミ召合せ部材６Ａの先端壁部６２Ｐに形成された取付孔６２Ｙに挿通され、固定壁部１４１の取付孔１４１Ｘに螺合されている。これにより、第四金具１０４は、アルミ召合せ部材６Ａに固定されている。
【００５６】
第六加熱発泡材Ｈ６は発泡すると、先端壁部６２Ｐ、アルミ召合せ部材６Ａの第一連結アルミ壁部６４並びにアルミ下部材４Ａの室内側アルミ壁部４２により形成された空間部、及び当該空間部と連続する空間部Ｓ３、空間部Ｓ４を塞ぐ。
【００５７】
このように構成された片引戸１０では、火災により樹脂戸先部材５Ｂ、樹脂召合せ部材６Ｂが溶融した場合には、アルミ戸先部材５Ａ、アルミ召合せ部材６Ａ及びアルミ戸先部材５Ａ、アルミ召合せ部材６Ａに固定された第一〜第四金具１０１〜１０４により、上框３、下框４の荷重を支持することができる。よって、戸先縦框５、召合せ框６と上框３、下框４とを第一〜第四金具１０１〜１０４により、強固に接合することができる。したがって、片引戸１０の剛性を確保することができるため、片引戸１０の変形を抑制して、防火性能を確保することができる。また、接合部分における隙間の発生を抑制して、防火性能を確保することができる。
【００５８】
また、第一〜第四金具１０１〜１０４の見付け面補強壁部１１４，１１５，１２４，１２５は、空間部Ｓ１〜Ｓ４に配置されている。また、固定壁部１３１は、先端壁部６２Ｐ、アルミ召合せ部材６Ａの第一連結アルミ壁部６４及びアルミ上部材３Ａの室内側アルミ壁部３２により形成された空間部に配置され、固定壁部１４１は、先端壁部６２Ｐ、アルミ召合せ部材６Ａの第一連結アルミ壁部６４及びアルミ下部材４Ａの室内側アルミ壁部４２により形成された空間部に配置されている。よって、見付け面補強壁部１１４，１１５，１２４，１２５、固定壁部１３１，１４１の露出を抑えつつ、框同士を強固に接合して防火性能を確保することができる。
【００５９】
また、火災の熱により、第一〜第四金具１０１〜１０４の見付け面補強壁部１１４，１１５，１２４，１２５、固定壁部１３１，１４１の室外側に設けられた第一〜第六加熱発泡材Ｈ１〜Ｈ６が発泡することで、戸先縦框５、召合せ框６と上框３、下框４等の部材同士の接合部分における隙間が塞がれる。よって、火災の熱により戸先縦框５、召合せ框６や上框３、下框４等の部材自体が溶融して発生した可燃性ガスが、室内側へ流入することを抑制することができる。
さらに、第一〜第四金具１０１〜１０４の見付け面補強壁部１１４，１１５，１２４，１２５、固定壁部１３１，１４１が空間部Ｓ１〜Ｓ４及び当該空間部Ｓ１〜Ｓ４に連続する空間部に配置されているため、当該空間部Ｓ１〜Ｓ４内全体において第一〜第四金具１０１〜１０４を確実に発泡させることができる。
【００６０】
なお、上述した実施の形態において示した各構成部材の諸形状や組み合わせ等は一例であって、本発明の主旨から逸脱しない範囲において設計要求等に基づき種々変更可能である。
【００６１】
また、上記に示す実施形態において、引戸は片引戸により構成されているが、本発明はこれに限られない。障子２枚により構成される引違戸や両開き戸にも適用可能である。
【符号の説明】
【００６２】
１…枠（枠体）
２…障子
３…上框（横框）
３Ａ…アルミ上部材（金属横框部）
３Ｂ…樹脂上部材（樹脂横框部）
４…下框（横框）
４Ａ…アルミ下部材（金属横框部）
４Ｂ…樹脂下部材（樹脂横框部）
５…戸先縦框（縦框）
５Ａ…アルミ戸先部材（金属縦框部）
５Ｂ…樹脂戸先部材（樹脂縦框部）
６…召合せ框（縦框）
６Ａ…アルミ召合せ部材（金属縦框部）
６Ｂ…樹脂召合せ部材（樹脂縦框部）
９…戸車部
１０…片引戸（引戸）
１１…上枠
１２…下枠
１３…縦枠
１４…方立
３６…室外側樹脂壁部（室外側樹脂部）
３７…室内側樹脂壁部（室内側樹脂部）
４６…室外側樹脂壁部（室外側樹脂部）
４７…室内側樹脂壁部（室内側樹脂部）
１０１…第一金具（補強金具）
１０２…第二金具（補強金具）
１０３…第三金具（補強金具）
１０４…第四金具（補強金具）
１１４，１１５…見付け面補強壁部（補強面）
１２４，１２５…見付け面補強壁部（補強面）
１３１…固定壁部（補強面）
１４１…固定壁部（補強面）
Ｂ…構造体
Ｈ１…第一加熱発泡材
Ｈ２…第二加熱発泡材
Ｈ３…第三加熱発泡材
Ｈ４…第四加熱発泡材
Ｈ５…第五加熱発泡材
Ｈ６…第六加熱発泡材
Ｗ…開口部
【図１】
0006386360.tif 000002
【図２】
0006386360.tif 000003
【図３】
0006386360.tif 000004
【図４】
0006386360.tif 000005
【図５】
0006386360.tif 000006
【図６】
0006386360.tif 000007
【図７】
0006386360.tif 000008
【図８】
0006386360.tif 000009